(57)【特許請求の範囲】
【請求項１】
指針を駆動するムーブメントと、前記ムーブメントを装着した前板と、前記前板の前方に配置された透明板とを備え、
前記前板及び前記透明板の間には、それらの間隔を設定するスペーサを配置し、前記前板、前記透明板、及び前記スペーサは、ねじ止めして固定される時計において、
前記前板は、透明な部材であり、且つ、背面には不透明な薄膜を設けるとともに、正面にはサンドブラスト加工を施して凹凸の模様を形成し、
前記スペーサは、前記指針の駆動範囲を囲むリング状部材であり、
前記前板、前記透明板、及び前記スペーサには、ボルトを相通するボルト挿通部をそれぞれ設け、
更に、前記スペーサは、前記ボルト挿通部に連通する凹部を設け、
前記ボルトの雄ねじ部には、前記スペーサと前記透明板とを締め付ける第１ナット、並びに、前記スペーサと前記前板とを締め付ける第２ナットを螺合するものであって、前記第１ナットは前記凹部に収納されることを特徴とする時計。
【発明の詳細な説明】
【０００１】
【発明の属する技術分野】
本発明は、時計を駆動するムーブメントと、ムーブメントを装着した前板と、前板の前面に配置された透明板とを備えた時計に関する。
【０００２】
【従来の技術】
アナログ式の時計は、指針を駆動するムーブメントと、ムーブメントを装着した前板と、前板の前方に配置された透明板とを備え、通常は、これらを筐体に保持して構成されている。
【０００３】
【発明が解決しようとする課題】
ところで、アナログ式の置時計や掛け時計は、見た目の面白さや美しさが重要であり、そのデザインとしては、より斬新なものが好まれる傾向にある。また、時計の製造現場においては、こうした時計をより簡単に製造できる構成が望まれている。
【０００４】
そこで本発明は、かかる事情に鑑み、装飾性及び製造性に優れた時計を提供することを目的としている。
【０００５】
【課題を解決するための手段】
本願第１請求項に記載した発明は、具体例で用いた符号を付して記すと、指針２１０を駆動するムーブメント２００と、前記ムーブメントを装着した前板３００と、前記前板の前方に配置された透明板４００とを備え、
前記前板３００及び前記透明板４００の間には、それらの間隔を設定するスペーサ５００を配置し、前記前板、前記透明板、及び前記スペーサは、ねじ止めして固定される時計において、
前記前板３００は、透明な部材であり、且つ、背面には不透明な薄膜３２０を設けるとともに、正面にはサンドブラスト加工を施して凹凸の模様を形成し、
前記スペーサ５００は、前記指針の駆動範囲を囲むリング状部材であり、
前記前板３００、前記透明板４００、及び前記スペーサ５００には、ボルト６１０を相通するボルト挿通部をそれぞれ設け、
更に、前記スペーサ５００は、前記ボルト挿通部５０１に連通する凹部５０２を設け、
前記ボルト６１０の雄ねじ部６１１には、前記スペーサ５００と前記透明板４００とを締め付ける第１ナット６２０、並びに、前記スペーサと前記前板３００とを締め付ける第２ナット６３０を螺合するものであって、前記第１ナット６２０は前記凹部５０２に収納される構成の時計であり、このような構成によると、装飾性及び製造性に優れた時計が得られる。
【０００６】
すなわち、従来のアナログ式の時計は、ムーブメント、前板、及び透明板を筐体に保持して構成されているが、本発明の時計は、ムーブメントを前板に装着するとともに、前板、透明板、及びスペーサをねじ止めして固定するので、そのような筐体を用いずとも構成することが可能であり、更に、斬新なデザインが得られる。
【０００８】
また、透明板及び前板は、共通のボルトを用いるとともに、異なるナットを用いて順次に組み付けることが可能であり、その結果、組み付け精度の向上、及び組み付け作業の容易化が達成される。
【００１２】
また、本発明の時計は、透明な前板の背面に不透明な薄膜を設けるとともに、その正面に凹凸の模様を形成することにより、光の加減で微妙に変化する美しい外観が得られるものである。また、このような凹凸の模様は、前板の正面にサンドブラスト加工を施すことにより、効率よく形成することが可能である。
【００１３】
【発明の実施の形態】
以下に、本発明の具体例を図面に基づいて詳細に説明する。
【００１４】
図１乃至図５に示す本例の時計は、指針２１０、つまり時針、分針、及び秒針を駆動するムーブメント２００と、ムーブメント２００を装着した前板３００と、前板３００の前方に配置されたガラス製又はアクリル製の透明板４００とを備えたものである。また、前板３００及び透明板４００の間には、それらの間隔を設定するスペーサ５００を配置し、前板３００、透明板４００、及びスペーサ５００は、ねじ止めして固定している。本例の場合、前板３００はガラス製の透明な部材であり、スペーサ５００は、指針２１０の駆動範囲を囲むリング状の木製部材である。
【００１５】
尚、透明板４００には、時刻を表示する絵文字４１０を印刷している。或いは、このような絵文字４１０は、シール部材を張り付けて設けることも可能である。
【００１６】
前板３００、透明板４００、及びスペーサ５００のねじ止めは、複数のボルト６１０と、各ボルト６１０の雄ねじ部６１１にそれぞれ螺合される第１ナット６２０及び第２ナット６３０を用いてなされている。
【００１７】
つまり、前板３００、透明板４００、及びスペーサ５００には、ボルト６１０を挿通するボルト挿通部３０１，４０１，５０１をそれぞれ設け、ボルト６１０の雄ねじ部６１１には、スペーサ５００と透明板４００とを締め付ける第１ナット６２０、並びに、スペーサ５００と前板３００とを締め付ける第２ナット６３０を螺合する構成となっている。スペーサ５００の要所には、第１ナット６２０を収納する凹部５０２が設けられている。
【００１８】
本時計１は、ボルト６１０及び第１ナット６２０にて透明板４００及びスペーサ５００を組み付けた後に、かかる組み付け体にムーブメント２００を装着した前板３００を位置決めし、第２ナット６３０を締め付けて組み立てられる。ボルト６１０は、透明板４００側から前板３００側に向かって挿通される。
【００１９】
更に、かかるねじ止めに関し、ボルト６１０、第１ナット６２０、及び第２ナット７２０の着座面には、緩衝材たる塩化ビニル製の座７１０をそれぞれ設けている。また、前板３００、透明板４００、及びスペーサ５００のボルト挿通部３０１，４０１，５０１には、緩衝材たるゴムチューブ７２０をそれぞれ設けている。これらの緩衝材によれば、ねじ止めに伴う前板３００、透明板４００、及びスペーサ５００の傷や破損が効率よく回避される。
【００２０】
また、本例の場合、前板３００の背面には、不透明な薄膜３２０を設けるとともに、前板３００の正面には、サンドブラスト加工を施して凹凸の模様を形成している。図１中の３１０は、前板３００における模様形成部を示している。サンドブラスト加工は、噴射ノズルの移動をコンピュータ制御して行われる。また、薄膜３２０は、アルミを蒸着して設けた。尚、薄膜３２０は、印刷等にて設けることも可能である。
【００２１】
以上説明したように、本例の時計は、装飾性及び製造性の点で顕著な効果を達成したものであり、アナログ式の置時計や掛け時計として、極めて好適に利用することができる。
【００２２】
【発明の効果】
本願第１請求項に記載した発明は、指針を駆動するムーブメントと、前記ムーブメントを装着した前板と、前記前板の前方に配置された透明板とを備え、
前記前板及び前記透明板の間には、それらの間隔を設定するスペーサを配置し、前記前板、前記透明板、及び前記スペーサは、ねじ止めして固定される時計において、
前記前板は、透明な部材であり、且つ、背面には不透明な薄膜を設けるとともに、正面にはサンドブラスト加工を施して凹凸の模様を形成し、
前記スペーサは、前記指針の駆動範囲を囲むリング状部材であり、
前記前板、前記透明板、及び前記スペーサには、ボルトを相通するボルト挿通部をそれぞれ設け、
更に、前記スペーサは、前記ボルト挿通部に連通する凹部を設け、
前記ボルトの雄ねじ部には、前記スペーサと前記透明板とを締め付ける第１ナット、並びに、前記スペーサと前記前板とを締め付ける第２ナットを螺合するものであって、前記第１ナットは前記凹部に収納される構成の時計であり、このような構成によると、装飾性及び製造性に優れた時計が得られる。
【００２３】
また、透明板及び前板は、共通のボルトを用いるとともに、異なるナットを用いて順次に組み付けることが可能であり、その結果、組み付け精度の向上、及び組み付け作業の容易化が達成される。
【００２６】
また、本発明の時計は、透明な前板の背面に不透明な薄膜を設けるとともに、その正面に凹凸の模様を形成することにより、光の加減で微妙に変化する美しい外観が得られるものである。また、このような凹凸の模様は、前板の正面にサンドブラスト加工を施すことにより、効率よく形成することが可能である。
【図面の簡単な説明】
【図１】  本発明の具体例に係り、時計を示す正面図である。
【図２】  本発明の具体例に係り、時計を示す側面図である。
【図３】  本発明の具体例に係り、時計の要部を示す側面図である。
【図４】  本発明の具体例に係り、時計の要部を示す分解側面図である。
【図５】  本発明の具体例に係り、前板を示す説明図である。
【符号の説明】
１      時計
２００      ムーブメント
２１０      指針
３００      前板
３０１      ボルト挿通部
３１０      模様形成部
３２０      薄膜
４００      透明板
４０１      ボルト挿通部
４１０      絵文字
５００      スペーサ
５０１      ボルト挿通部
５０２      凹部
６１０      ボルト
６２０      第1ナット
６３０      第２ナット
７１０      座
７２０      ゴムチューブ
【図１】
0004240268.tif 000002
【図２】
0004240268.tif 000003
【図３】
0004240268.tif 000004
【図４】
0004240268.tif 000005
【図５】
0004240268.tif 000006